(57)【要約】【課題】現像カートリッジが加熱されることを抑制できる梱包を提供すること。【解決手段】  現像カートリッジ３の梱包１は、現像カートリッジ３と、現像カートリッジ３を収容し、密閉された袋４と、袋４の外から現像カートリッジ３の一端部３Ａに取り付けられる第１緩衝材５と、袋４の外から現像カートリッジ３の他端部３Ｂに取り付けられる第２緩衝材６と、第１緩衝材５および第２緩衝材６が取り付けられた現像カートリッジ３を収容する箱２と、箱２内に収容され、箱２の内面と袋４との間に位置し、熱の伝達を遮断する第１遮断部材７とを備える。第１遮断部材７は、第１方向に延びる第１部分７Ａと、第１方向において第１部分７Ａよりも短い第２部分７Ｂおよび第３部分７Ｃとを有する。第２部分７Ｂおよび第３部分７Ｃは、第１緩衝材５および第２緩衝材６の間に位置する。【選択図】図１
2018114994.tif 000002
【特許請求の範囲】
【請求項１】
第１方向に延びる現像ローラを備える現像カートリッジであって、前記第１方向における一端部と、前記第１方向において前記一端部と間隔を隔てて位置する他端部と、を有する現像カートリッジと、
前記現像カートリッジを収容し、密閉された袋と、
前記袋の外から前記現像カートリッジの前記一端部に取り付けられる第１緩衝材と、
前記袋の外から前記現像カートリッジの前記他端部に取り付けられる第２緩衝材と、
前記第１緩衝材および前記第２緩衝材が取り付けられた前記現像カートリッジを収容する箱と、
前記第１方向に延び、輻射熱を遮断する第１遮断部材であって、前記箱に収容される第１遮断部材と、を備え、
前記第１遮断部材は、
前記第１方向に延びる第１部分であって、前記第１方向と直交する第２方向において、前記箱の内面と前記袋との間に位置する第１部分と、
前記第１方向に延びる第２部分であって、前記第１方向における長さが前記第１方向における前記第１部分の長さよりも短い第２部分であり、前記第１方向および前記第２方向の両方と直交する第３方向において、前記箱の内面と前記袋との間に位置する第２部分と、
前記第１方向に延びる第３部分であって、前記第１方向における長さが前記第１方向における前記第１部分の長さよりも短い第３部分であり、前記第３方向において、前記第１部分に対して前記第２部分の反対側に位置し、かつ、前記箱の内面と前記袋との間に位置する第３部分と、を備え、
前記第２部分および前記第３部分は、前記第１方向において、前記第１緩衝材と前記第２緩衝材との間に位置することを特徴とする、現像カートリッジの梱包。
【請求項２】
前記第１部分は、前記第２方向において、前記箱の内面と前記第１緩衝材との間、および、前記箱の内面と前記第２緩衝材との間に位置し、前記現像カートリッジに対して間隔を隔てることを特徴とする、請求項１に記載の現像カートリッジの梱包。
【請求項３】
さらに、前記第１方向に延び、輻射熱を遮断する第２遮断部材であって、前記箱に収容される第２遮断部材を備え、
前記第２遮断部材は、
前記第１方向に延びる第４部分であって、前記第２方向において、前記現像カートリッジに対して前記第１遮断部材の前記第１部分とは反対側に位置し、かつ、前記箱の内面と前記袋との間に位置する第４部分と、
前記第１方向に延びる第５部分であって、前記第１方向における長さが前記第１方向における前記第４部分の長さよりも短い第５部分であり、前記第３方向において、前記第１遮断部材の前記第２部分と重なり、かつ、前記箱の内面と前記袋との間に位置する第５部分と、
前記第１方向に延びる第６部分であって、前記第１方向における長さが前記第１方向における前記第４部分の長さよりも短い第６部分であり、前記第３方向において、前記第４部分に対して前記第５部分の反対側に位置する第６部分であり、前記第３方向において、前記第１遮断部材の前記第３部分と重なり、かつ、前記箱の内面と前記袋との間に位置する第６部分と、を備えることを特徴とする、請求項１または請求項２に記載の現像カートリッジの梱包。
【請求項４】
前記第１緩衝材および前記第２緩衝材の少なくとも一方は、前記第３方向において互いに間隔を隔てる２つの突起を備え、
前記第１部分は、前記第３方向において、２つの前記突起の間に位置することを特徴とする、請求項１から請求項３のいずれか一項に記載の現像カートリッジの梱包。
【請求項５】
２つの前記突起の間隔は、前記第３方向において、前記現像カートリッジの長さよりも長いことを特徴とする、請求項４に記載の現像カートリッジの梱包。
【請求項６】
２つの前記突起は、前記箱の内面に接触することを特徴とする、請求項４または請求項５に記載の現像カートリッジの梱包。
【請求項７】
前記第１部分は、前記第１部分の縁に位置する切欠部であって、前記第１遮断部材が前記箱に適正に収容された場合に第１の位置に位置し、前記第１遮断部材が前記箱に適正に収容されない場合に前記第１の位置とは異なる第２の位置に位置する切欠部を有することを特徴とする、請求項１から請求項６のいずれか一項に記載の現像カートリッジの梱包。
【請求項８】
さらに、前記現像カートリッジとともに前記箱に収容される物品であって、前記袋と前記第１遮断部材との間に位置する物品を備えることを特徴とする、請求項１から請求項７のいずれか一項に記載の現像カートリッジの梱包。
【発明の詳細な説明】
【技術分野】
【０００１】
本発明は、現像カートリッジの梱包に関する。
【背景技術】
【０００２】
従来、現像カートリッジを梱包箱に梱包して、画像形成装置とは別に輸送することが知られている（下記特許文献１参照。）。現像カートリッジは、内部にトナーを収容している。現像カートリッジは、画像形成装置に対して着脱可能である。
【先行技術文献】
【特許文献】
【０００３】
【特許文献１】特開２０１５−１２３９８８号公報
【発明の概要】
【発明が解決しようとする課題】
【０００４】
上記した特許文献１のような梱包は、輸送時や保管時に、日射等により加熱される場合がある。
【０００５】
この場合、現像カートリッジは、画像形成装置に装着されているときよりも高温になるおそれがある。
【０００６】
そこで、本開示の目的は、現像カートリッジが加熱されることを抑制できる梱包を提供することにある。
【課題を解決するための手段】
【０００７】
（１）本発明の現像カートリッジの梱包は、現像カートリッジと、袋と、第１緩衝材と、第２緩衝材と、箱と、第１遮断部材とを備える。現像カートリッジは、第１方向に延びる現像ローラを備える。現像カートリッジは、第１方向における一端部と、第１方向において一端部と間隔を隔てて位置する他端部と、を有する。袋は、現像カートリッジを収容し、密閉されている。第１緩衝材は、袋の外から現像カートリッジの一端部に取り付けられる。第２緩衝材は、袋の外から現像カートリッジの他端部に取り付けられる。箱は、第１緩衝材および第２緩衝材が取り付けられた現像カートリッジを収容する。第１遮断部材は、第１方向に延び、輻射熱を遮断する。第１遮断部材は、箱内に収容される。
【０００８】
また、第１遮断部材は、第１部分と、第２部分と、第３部分とを備える。第１部分は、第１方向に延びる。第１部分は、第１方向と直交する第２方向において、箱の内面と袋との間に位置する。第２部分は、第１方向に延びる。第２部分は、第１方向における長さが第１方向における第１部分の長さよりも短い。第２部分は、第１方向および第２方向の両方と直交する第３方向において、箱の内面と袋との間に位置する。第３部分は、第１方向に延びる。第３部分は、第１方向における長さが第１方向における第１部分の長さよりも短い。第３部分は、第３方向において、第１部分に対して第２部分の反対側に位置し、かつ、箱の内面と袋との間に位置する。
【０００９】
第２部分および第３部分は、第１方向において、第１緩衝材と第２緩衝材との間に位置する。
（２）第１部分は、第２方向において、箱の内面と第１緩衝材との間、および、箱の内面と第２緩衝材との間に位置し、現像カートリッジに対して間隔を隔ててもよい。
（３）本発明の現像カートリッジの梱包は、さらに、第１方向に延び、輻射熱を遮断する第２遮断部材であって、箱内に収容される第２遮断部材を備えてもよい。第２遮断部材は、第４部分と、第５部分と、第６部分とを備えてもよい。第４部分は、第１方向に延び、第２方向において、現像カートリッジに対して第１遮断部材の第１部分とは反対側に位置し、かつ、箱の内面と袋との間に位置する。第５部分は、第１方向に延びる。第５部分は、第１方向における長さが第１方向における第４部分の長さよりも短い。第５部分は、第３方向において、第１遮断部材の第２部分と重なり、かつ、箱の内面と袋との間に位置する。第６部分は、第１方向に延びる。第６部分は、第１方向における長さが第１方向における第４部分の長さよりも短い。第６部分は、第３方向において、第４部分に対して第５部分の反対側に位置する。第６部分は、第３方向において、第１遮断部材の第３部分と重なり、かつ、箱の内面と袋との間に位置する。
（４）第１緩衝材および第２緩衝材の少なくとも一方は、第３方向において互いに間隔を隔てる２つの突起を備えてもよい。第１部分は、第３方向において、２つの突起の間に位置してもよい。
（５）２つの突起の間隔は、第３方向において、現像カートリッジの長さよりも長くてもよい。
（６）２つの突起は、箱の内面に接触してもよい。
（７）第１部分は、第１部分の縁に設けられる切欠部であって、第１遮断部材が箱に適正に収容された場合に第１の位置に位置し、第１遮断部材が箱に適正に収容されない場合に第１の位置とは異なる第２の位置に位置する切欠部を有してもよい。
（８）本発明の現像カートリッジの梱包は、さらに、現像カートリッジとともに箱に収容される物品であって、袋と第１遮断部材との間に位置する物品を備えてもよい。
【発明の効果】
【００１０】
本発明の現像カートリッジの梱包によれば、現像カートリッジが加熱されることを抑制できる。
【図面の簡単な説明】
【００１１】
【図１】図１は、本発明の現像カートリッジの梱包の一実施形態を示す斜視図である。
【図２】図２Ａは、図１に示す第１遮断部材の平面図である。図２Ｂは、図２Ａに示す第１遮断部材の側面図である。
【図３】図３は、図１に示す梱包の平面図である。
【図４】図４は、図３に示す梱包のＡ−Ａ断面図である。
【図５】図５は、図３に示す梱包のＢ−Ｂ断面図である。
【図６】図６は、梱包の変形例を示す斜視図である。
【発明を実施するための形態】
【００１２】
１．梱包１の概略
図１を参照して、現像カートリッジ３の梱包１の概略について説明する。
【００１３】
梱包１は、箱２と、現像カートリッジ３と、袋４と、第１緩衝材５と、第２緩衝材６と、現像カートリッジ３の取り扱いについての説明が記載された書類（取扱説明書）などの物品１１とを備える。梱包１は、箱２の中に現像カートリッジ３が梱包された梱包である。現像カートリッジ３は、袋４に収容され、第１緩衝材５および第２緩衝材６が取り付けられた状態で、箱２内に梱包される。
【００１４】
１．１  箱２
箱２は、第１緩衝材５および第２緩衝材６が取り付けられた現像カートリッジ３を収容する。箱２は、例えば、段ボールからなる。箱２は、中空の直方体である。箱２は、図４に示すように、第１方向において、第１内面２Ａと、第１内面２Ａに対して間隔を隔てて位置する第２内面２Ｂとを有する。また、箱２は、第１方向と直交する第２方向において、第３内面２Ｃと、第３内面２Ｃに対して間隔を隔てて位置する第４内面２Ｄとを有する。また、箱２は、図３に示すように、第１方向および第２方向の両方と直交する第３方向において、第５内面２Ｅと、第５内面２Ｅに対して間隔を隔てて位置する第６内面２Ｆとを有する。
【００１５】
１．２  現像カートリッジ３
図１に示すように、現像カートリッジ３は、内部に現像剤を収容している。現像剤は、例えば、トナーである。現像剤は、例えば、粉状であり、着色剤およびワックスを含む樹脂からなる。また、現像カートリッジ３は、現像ローラと、アジテータとを備える。現像ローラは、第１方向に延びる。現像ローラは、第１方向に延びる軸線について回転可能である。現像ローラは、現像剤を担持可能である。アジテータは、現像カートリッジ３の内部に設けられる。アジテータは、現像剤を撹拌可能である。また、現像カートリッジ３は、第１方向における一端部３Ａと、第１方向において一端部３Ａと間隔を隔てて位置する他端部３Ｂとを有する。一端部３Ａには、カップリングおよびギア列が設けられる。カップリングは、現像カートリッジ３が画像形成装置に装着されたときに、画像形成装置からの駆動力を受ける。ギア列は、カップリングからの駆動力を、現像ローラおよびアジテータに伝達し、現像ローラおよびアジテータを駆動する。他端部３Ｂには、現像ローラに電力を供給するための電極が、設けられる。
【００１６】
１．３  袋４
袋４は、現像カートリッジ３を収容する。袋４は、現像カートリッジ３を収容した状態で、密閉されている。袋４は、例えば、ラミネートフィルムからなる。ラミネートフィルムは、例えば、アルミニウム箔の表面に樹脂フィルムがラミネートされることにより作られる。袋４は、湿気を遮断する。これにより、袋４は、現像カートリッジ３の現像剤が吸湿することを、防止する。
【００１７】
１．４  第１緩衝材５および第２緩衝材６
第１緩衝材５は、袋４の外から現像カートリッジ３の一端部３Ａに取り付けられる。第１緩衝材５は、第１方向において、現像カートリッジ３の一端部３Ａを覆う。詳しくは、第１緩衝材５は、第１方向における外面５Ａを有する。外面５Ａは、第１緩衝材５が一端部３Ａに取り付けられた状態で、第１方向において、一端部３Ａに対して他端部３Ｂの反対側に位置する。第１緩衝材５は、第１方向において、外面５Ａによって一端部３Ａを覆う。第１緩衝材５は、梱包１に加わる熱や衝撃が現像カートリッジ３の一端部３Ａに伝わることを抑制する。これにより、第１緩衝材５は、カップリングおよびギア列を保護する。第１緩衝材５は、例えば、ポリスチレン、ポリプロピレン、ポリエチレンなどの発泡体からなる。第１緩衝材５は、２つの突起２１を備える。すなわち、第１緩衝材５および第２緩衝材６の少なくとも一方は、２つの突起２１を備える。
【００１８】
２つの突起２１は、第３方向において互いに間隔を隔てる。２つの突起２１の間隔は、第３方向において、現像カートリッジ３の長さよりも長い。２つの突起２１のそれぞれは、第２方向において、第１緩衝材５の縁から箱２の第３内面２Ｃ（図４参照）に向かって突出する。２つの突起２１は、箱２の第３内面２Ｃに接触する。なお、第１緩衝材５は、さらに、第６内面２Ｆ（図３参照）に接触する２つの突起２２と、第４内面２Ｄ（図４参照）に接触する２つの突起２３と、第５内面２Ｅ（図３参照）に接触する２つの突起２４とを備える。これにより、第１緩衝材５は、梱包１に加わる振動などにより現像カートリッジ３が箱２内で移動することを抑制する。
【００１９】
第２緩衝材６は、袋４の外から現像カートリッジ３の他端部３Ｂに取り付けられる。第２緩衝材６は、第１方向において、現像カートリッジ３の他端部３Ｂを覆う。詳しくは、第２緩衝材６は、第１方向における外面６Ａを有する。外面６Ａは、第２緩衝材６が他端部３Ｂに取り付けられた状態で、第１方向において、他端部３Ｂに対して一端部３Ａの反対側に位置する。第２緩衝材６は、第１方向において、外面６Ａによって他端部３Ｂを覆う。第２緩衝材６は、梱包１に加わる熱や衝撃が現像カートリッジ３の他端部３Ｂに伝わることを抑制する。これにより、第２緩衝材６は、電極を保護する。第２緩衝材６は、第１緩衝材５と同様に、例えば、ポリスチレン、ポリプロピレン、ポリエチレンなどの発泡体からなる。第２緩衝材６は、２つの突起２５を備える。
【００２０】
２つの突起２５は、第３方向において互いに間隔を隔てる。２つの突起２５の間隔は、第３方向において、現像カートリッジ３の長さよりも長い。２つの突起２５のそれぞれは、第２方向において、第２緩衝材６の縁から箱２の第３内面２Ｃ（図４参照）に向かって突出する。２つの突起２５は、箱２の第３内面２Ｃに接触する。なお、第２緩衝材６は、さらに、第６内面２Ｆ（図３参照）に接触する２つの突起２６と、第４内面２Ｄ（図４参照）に接触する２つの突起２７と、第５内面２Ｅ（図３参照）に接触する２つの突起２８とを備える。これにより、第２緩衝材６は、第１緩衝材５とともに、梱包１に加わる振動などにより現像カートリッジ３が箱２内で移動することを抑制する。
【００２１】
１．５  物品１１
物品１１は、現像カートリッジ３とともに箱２に収容される。物品１１は、袋４の外側に位置する。詳しくは、物品１１は、袋４と、後述する第１遮断部材７との間に位置する。なお、物品１１は、取扱説明書に限られず、例えば、梱包１の内部を乾燥させるための乾燥剤などであってもよい。
【００２２】
２．第１遮断部材７および第２遮断部材８
梱包１は、図１に示すように、さらに、第１遮断部材７および第２遮断部材８を備える。第１遮断部材７および第２遮断部材８は、輻射熱を、反射することにより遮断する。以下、図１から図５を参照して、第１遮断部材７および第２遮断部材８について説明する。なお、第１遮断部材７と第２遮断部材８とは、同じ形状および構造を有する。そのため、以下の説明においては、第１遮断部材７の形状および構造について詳細に説明し、第２遮断部材８の形状および構造についての説明を省略する。
【００２３】
２．１  第１遮断部材７および第２遮断部材８の形状
図２Ａを参照して、第１遮断部材７および第２遮断部材８の形状について説明する。
【００２４】
第１遮断部材７は、図２Ａに示すように、第１方向に延びるシートである。第１遮断部材７は、第１部分７Ａと、第２部分７Ｂと、第３部分７Ｃとを備える。
【００２５】
第１部分７Ａは、第１方向に延びる。第１部分７Ａは、第１方向において、一端部Ｅ１と、一端部Ｅ１から離れて位置する他端部Ｅ２とを有する。また、第１部分７Ａは、第３方向に延びる。第１部分７Ａは、第３方向において、一端部Ｅ３と、一端部Ｅ３から離れて位置する他端部Ｅ４とを有する。第１部分７Ａは、第１方向および第３方向において、現像カートリッジ３よりも大きい。これにより、第１部分７Ａは、第１遮断部材７が箱２に収容されたときに、第２方向において、現像カートリッジ３を覆うことができる。また、第１部分７Ａは、切欠部２０Ａと、切欠部２０Ｂとを有する。
【００２６】
切欠部２０Ａおよび切欠部２０Ｂは、第１部分７Ａの縁に位置する。詳しくは、切欠部２０Ａは、第１方向において、第１部分７Ａの一端部Ｅ１に位置し、かつ、第３方向において、第１部分７Ａの一端部Ｅ３に位置する。切欠部２０Ａは、第１遮断部材７が箱２に適正に収容された場合に第１の位置（図３参照）に位置し、第１遮断部材７が箱２に適正に収容されない場合に第１の位置とは異なる第２の位置（図３の仮想線参照）に位置する。具体的には、第２の位置は、第１の位置よりも第５内面２Ｅに近い。なお、第１遮断部材７が箱２に適正に収容されない場合とは、例えば、第１遮断部材７の表裏が逆の状態で、第１遮断部材７が箱２に収容された場合が挙げられる。また、切欠部２０Ｂは、第１方向において、第１部分７Ａの他端部Ｅ２に位置し、かつ、第３方向において、第１部分７Ａの他端部Ｅ４に位置する。切欠部２０Ｂも、第１遮断部材７が箱２に適正に収容された場合に第１の位置（図３参照）に位置し、第１遮断部材７が箱２に適正に収容されない場合に第１の位置とは異なる第２の位置（図３の仮想線参照）に位置する。これにより、現像カートリッジ３を箱２に梱包する作業者は、切欠部２０Ａおよび切欠部２０Ｂの位置を確認することにより、第１遮断部材７が箱２に適正に収容されているか否か、判別できる。
【００２７】
第２部分７Ｂは、第３方向における第１部分７Ａの一端部Ｅ３から延びる。第２部分７Ｂは、第１方向において、第１部分７Ａの一端部Ｅ１と他端部Ｅ２との間に位置する。第２部分７Ｂは、第１方向に延びる。第１方向における第２部分７Ｂの長さは、第１方向における第１部分７Ａの長さよりも短い。
【００２８】
第３部分７Ｃは、第３方向における第１部分７Ａの他端部Ｅ４から延びる。第３部分７Ｃは、第１方向において、第１部分７Ａの一端部Ｅ１と他端部Ｅ２との間に位置する。第３部分７Ｃは、第１方向に延びる。第１方向における第３部分７Ｃの長さは、第１方向における第１部分７Ａの長さよりも短い。
【００２９】
なお、図１に示すように、第２遮断部材８は、第１遮断部材７と同じ形状および同じサイズを有する。詳しくは、第２遮断部材８は、第１方向に延びる。第２遮断部材８は、第４部分８Ａと、第５部分８Ｂと、第６部分８Ｃとを備える。
【００３０】
第４部分８Ａは、第１遮断部材７の第１部分７Ａと同じ形状および同じサイズを有する。すなわち、第４部分８Ａは、第１方向に延びる。
【００３１】
第５部分８Ｂは、第１遮断部材７の第２部分７Ｂと同じ形状および同じサイズを有する。すなわち、第５部分８Ｂは、第１方向に延び、第１方向における長さが第１方向における第４部分８Ａの長さよりも短い。
【００３２】
第６部分８Ｃは、第１遮断部材７の第３部分７Ｃと同じ形状および同じサイズを有する。すなわち、第６部分８Ｃは、第１方向に延びる。第６部分８Ｃは、第１方向における長さが第１方向における第４部分８Ａの長さよりも短い。
【００３３】
２．２  第１遮断部材７および第２遮断部材８の構造
図２Ｂを参照して、第１遮断部材７および第２遮断部材８の構造について説明する。
【００３４】
第１遮断部材７は、図２Ｂに示すように、厚み方向において、基材層９と、光沢層１０とを有する。
【００３５】
基材層９は、例えば、ポリエチエンテレフタレート（ＰＥＴ）などの樹脂や、紙などからなる。基材層９に用いることができる紙としては、例えば、光沢層１０から剥離可能な表面を有する紙や、光沢層１０から剥離可能な粘着層を有する紙などが挙げられる。基材層９は、第１面Ｓ１を有する。第１面Ｓ１は、厚み方向において、第１遮断部材７の一方の面である。基材層９の厚みは、例えば、１０μｍ以上、好ましくは、５０μｍ以上である。また、基材層９の厚みは、例えば、２００μｍ以下、好ましくは、１００μｍ以下である。
【００３６】
光沢層１０は、厚み方向において、基材層９に積層されている。光沢層１０は、例えば、アルミニウムなどの金属からなる。光沢層１０は、第２面Ｓ２を有する。すなわち、第２面Ｓ２は、例えば、アルミニウムなどの金属からなる。第２面Ｓ２は、厚み方向において、第１遮断部材７の他方の面である。第２面Ｓ２は、厚み方向において、第１面Ｓ１とは反対側の面である。光沢層１０の厚みは、例えば、１μｍ以上、好ましくは、５μｍ以上である。また、光沢層１０の厚みは、例えば、１００μｍ以下、好ましくは、５０μｍ以下である。
【００３７】
なお、第２遮断部材８は、第１遮断部材７と同じ積層構造を有する。すなわち、第２遮断部材８は、第１遮断部材７と同様に、基材層９からなる第１面Ｓ１、および、光沢層１０からなる第２面Ｓ２を有する。
【００３８】
２．３  第１遮断部材７および第２遮断部材８の配置
図１、および、図３から図５を参照して、第１遮断部材７および第２遮断部材８の配置について説明する。
【００３９】
第１遮断部材７は、図１に示すように、箱２に収容される。詳しくは、第１遮断部材７は、第１部分７Ａが第３方向に延び、第２部分７Ｂおよび第３部分７Ｃが第２方向に延びるように、湾曲した状態で、箱２に収容される。
【００４０】
第１部分７Ａは、図３に示すように、第３方向において、２つの突起２１の間に位置する。そのため、第１遮断部材７が第３方向に移動すると、第１部分７Ａが、２つの突起２１のいずれか一方に当たる。これにより、第１遮断部材７が第３方向に移動することが防止される。
【００４１】
また、第１部分７Ａは、図４および図５に示すように、第２方向において、現像カートリッジ３を覆う。詳しくは、第１部分７Ａは、第２方向において、箱２の第３内面２Ｃと袋４との間に位置する。また、第１部分７Ａは、第２方向において、箱２の第３内面２Ｃと第１緩衝材５との間、および、箱２の第３内面２Ｃと第２緩衝材６との間に位置する。第１部分７Ａは、第２方向において、袋４に対して間隔を隔てる。すなわち、第１部分７Ａは、第２方向において、現像カートリッジ３に対して間隔を隔てる。第１部分７Ａの第２面Ｓ２は、箱２の第３内面２Ｃに向かい合う。第１部分７Ａの第２面Ｓ２は、第１部分７Ａの第１面Ｓ１に対して、現像カートリッジ３の反対側に位置する。また、第１部分７Ａの第１面Ｓ１は、第１部分７Ａの第２面Ｓ２に対して、箱２の第３内面２Ｃの反対側に位置する。
【００４２】
第２部分７Ｂは、図３に示すように、第３方向において、箱２の第６内面２Ｆと袋４との間に位置する。また、第３部分７Ｃは、第３方向において、箱２の第５内面２Ｅと袋４との間に位置する。すなわち、第２部分７Ｂおよび第３部分７Ｃは、第３方向において、第１部分７Ａに対して第２部分７Ｂの反対側に位置する。また、第２部分７Ｂおよび第３部分７Ｃは、第１方向において、第１緩衝材５と第２緩衝材６との間に位置する。そのため、第１遮断部材７が第１方向に移動すると、第２部分７Ｂおよび第３部分７Ｃの少なくともいずれか一方が、第１緩衝材５および第２緩衝材６のいずれか一方に当たる。これにより、第１遮断部材７が第１方向に移動することが防止される。
【００４３】
また、図５に示すように、第２部分７Ｂの第２面Ｓ２は、第２部分７Ｂの第１面Ｓ１に対して、現像カートリッジ３の反対側に位置する。また、第２部分７Ｂの第１面Ｓ１は、第２部分７Ｂの第２面Ｓ２に対して、箱２の第６内面２Ｆの反対側に位置する。第３部分７Ｃの第２面Ｓ２は、第３部分７Ｃの第１面Ｓ１に対して、現像カートリッジ３の反対側に位置する。また、第３部分７Ｃの第１面Ｓ１は、第３部分７Ｃの第２面Ｓ２に対して、箱２の第５内面２Ｅの反対側に位置する。
【００４４】
第２遮断部材８は、図１に示すように、現像カートリッジ３に対して第１遮断部材７の反対側に位置する。第２遮断部材８は、第１遮断部材７と同様に、第４部分８Ａが第３方向に延び、第５部分８Ｂおよび第６部分８Ｃが第２方向に延びるように、湾曲した状態で、箱２に収容される。
【００４５】
第４部分８Ａは、図４および図５に示すように、第２方向において、現像カートリッジ３に対して、第１遮断部材７の第１部分７Ａの反対側に位置する。第４部分８Ａは、第２方向において、現像カートリッジ３を覆う。第４部分８Ａは、第２方向において、箱２の第４内面２Ｄと袋４との間に位置する。第４部分８Ａは、第２方向において、袋４に対して間隔を隔てている。第４部分８Ａの第２面Ｓ２は、箱２の第４内面２Ｄに向かい合う。第４部分８Ａの第２面Ｓ２は、第４部分８Ａの第１面Ｓ１に対して、現像カートリッジ３の反対側に位置する。また、第４部分８Ａの第１面Ｓ１は、第４部分８Ａの第２面Ｓ２に対して、箱２の第４内面２Ｄの反対側に位置する。
【００４６】
第５部分８Ｂは、図５に示すように、第３方向において、第１遮断部材７の第２部分７Ｂと重なり、かつ、箱２の第６内面２Ｆと袋４との間に位置する。詳しくは、第５部分８Ｂは、第３方向において、第１遮断部材７の第２部分７Ｂと、箱２の第６内面２Ｆとの間に位置する。第５部分８Ｂは、第３方向において、第１遮断部材７の第２部分７Ｂに対して間隔を隔てる。第５部分８Ｂの第２面Ｓ２は、箱２の第６内面２Ｆに向かい合う。第５部分８Ｂの第２面Ｓ２は、第５部分８Ｂの第１面Ｓ１に対して、現像カートリッジ３の反対側に位置する。また、第５部分８Ｂの第１面Ｓ１は、第５部分８Ｂの第２面Ｓ２に対して、箱２の第６内面２Ｆの反対側に位置する。なお、第５部分８Ｂは、第１遮断部材７の第２部分７Ｂと同様に、第１方向において、第１緩衝材５と第２緩衝材６との間に位置する。
【００４７】
第６部分８Ｃは、第３方向において、第４部分８Ａに対して第５部分８Ｂの反対側に位置する。第６部分８Ｃは、第３方向において、第１遮断部材７の第３部分７Ｃと重なり、かつ、箱２の第５内面２Ｅと袋４との間に位置する。詳しくは、第６部分８Ｃは、第３方向において、第１遮断部材７の第３部分７Ｃと、箱２の第５内面２Ｅとの間に位置する。第６部分８Ｃは、第３方向において、第１遮断部材７の第３部分７Ｃに対して間隔を隔てる。第６部分８Ｃの第２面Ｓ２は、箱２の第５内面２Ｅに向かい合う。第６部分８Ｃの第２面Ｓ２は、第６部分８Ｃの第１面Ｓ１に対して、現像カートリッジ３の反対側に位置する。また、第６部分８Ｃの第１面Ｓ１は、第６部分８Ｃの第２面Ｓ２に対して、箱２の第５内面２Ｅの反対側に位置する。なお、第６部分８Ｃは、第１遮断部材７の第３部分７Ｃと同様に、第１方向において、第１緩衝材５と第２緩衝材６との間に位置する。
【００４８】
４．梱包１の保管
図４および図５を参照して、梱包１の保管について説明する。
【００４９】
梱包１は、図４および図５に示すように、保管されるときに、第２方向が鉛直方向に沿うように、水平面に載置される。梱包１が水平面に載置されている状態において、第１遮断部材７の第１部分７Ａは、現像カートリッジ３の上に位置する。また、第２遮断部材８の第４部分８Ａは、現像カートリッジ３の下に位置する。
【００５０】
５．作用効果
梱包１は、例えば、窓際等に載置された場合、日射により加熱されるおそれがある。このとき、現像カートリッジ３の温度が高くなり過ぎると、内部の現像剤が変質するおそれがある。
【００５１】
ここで、梱包１は、図５に示すように、第１遮断部材７および第２遮断部材８を備える。第１遮断部材７および第２遮断部材８は、現像カートリッジ３を覆っている。また、第２遮断部材８の第２面Ｓ２、および、第１遮断部材７の第２面Ｓ２は、アルミニウムなどの金属からなり、箱２の内面に向いている。
【００５２】
これにより、第１遮断部材７および第２遮断部材８は、梱包１の箱２が加熱された場合に、箱２からの輻射熱を、第２面Ｓ２によって反射する。つまり、第１遮断部材７および第２遮断部材８は、箱２から現像カートリッジ３への輻射熱を遮断する。
【００５３】
また、袋４は、第１遮断部材７および第２遮断部材８に対して間隔を隔てている。
【００５４】
これにより、第１遮断部材７および第２遮断部材８から袋４に対する熱の伝導が抑制される。
【００５５】
さらに、現像カートリッジ３は、袋４に収容されている。
【００５６】
そのため、袋４により、第１遮断部材７および第２遮断部材８から現像カートリッジ３に対する熱の伝導が、さらに遮断される。
【００５７】
また、図４に示すように、現像カートリッジ３の一端部３Ａは、第１緩衝材５によって被覆される。現像カートリッジ３の他端部３Ｂは、第２緩衝材６によって被覆される。そのため、第１緩衝材５および第２緩衝材６により、箱２から一端部３Ａおよび他端部３Ｂへの熱の伝導が、遮断される。
【００５８】
以上のことから、梱包１は、現像カートリッジ３の温度上昇を抑制し、内部の現像剤が変質することを防止することができる。
【００５９】
また、図３に示すように、第１部分７Ａが、第３方向において、２つの突起２１の間に位置し、第２部分７Ｂおよび第３部分７Ｃが、第１方向において、第１緩衝材５と第２緩衝材６との間に位置する。
【００６０】
これにより、第１遮断部材７が第１方向および第３方向に移動することが、防止される。これにより、第１遮断部材７を現像カートリッジ３に対して確実に位置決めすることができる。
【００６１】
その結果、梱包１は、現像カートリッジ３に対する輻射熱を、より確実に遮断でき、現像カートリッジ３の温度上昇を、より確実に抑制できる。
【００６２】
６．変形例
（１）上記した実施形態では、第１遮断部材７および第２遮断部材８は、光沢層１０からなる第２面Ｓ２を有するシートとして構成されている。しかし、第１遮断部材７および第２遮断部材８の形状および構造は、輻射熱を反射することができればよい。例えば、第１遮断部材７および第２遮断部材８の形状は、フィルムでもよく、フィルムよりも厚い板でもよい。
（２）上記した実施形態では、第１遮断部材７および第２遮断部材８により、第２方向および第３方向において、現像カートリッジ３を両側から覆っているが、少なくとも、梱包１に対する熱源の方向に遮断部材を設ければよい。例えば、日射が梱包１の上面に集中する場合、現像カートリッジ３の上に第１遮断部材７を設け、現像カートリッジ３の下には、第２遮断部材８を設けないこともできる。
（３）また、図６に示すように、第１緩衝材３１および第２緩衝材３２は、縁に突起を有さなくてもよい。この場合、第１緩衝材３１および第２緩衝材３２は、それぞれ、第３方向の端面と、第２方向の端面とで箱２の内面に接触する。
【符号の説明】
【００６３】
１      梱包
２      箱
２Ａ    第１内面
２Ｂ    第２内面
２Ｃ    第３内面
２Ｄ    第４内面
２Ｅ    第５内面
２Ｆ    第６内面
３      現像カートリッジ
３Ａ    一端部
３Ｂ    他端部
４      袋
５      第１緩衝材
６      第２緩衝材
７      第１遮断部材
７Ａ    第１部分
７Ｂ    第２部分
７Ｃ    第３部分
８      第２遮断部材
８Ａ    第４部分
８Ｂ    第５部分
８Ｃ    第６部分
１１    物品
２０Ａ  切欠部
２０Ｂ  切欠部
２１    突起
３１    第１緩衝材
３２    第２緩衝材
【図１】
2018114994.tif 000003
【図２】
2018114994.tif 000004
【図３】
2018114994.tif 000005
【図４】
2018114994.tif 000006
【図５】
2018114994.tif 000007
【図６】
2018114994.tif 000008